(57)【要約】  電波環境表示装置は、電波環境を表示する表示部と制御手段とを有し、互いに異なる位置に位置する複数の無線送信機から電波が送信されるエリア内の電波環境を表示する。制御手段は、エリア内の地点において、複数の無線送信機のそれぞれから送信される電波の受信電力の大きさである強度のうち、最大強度を選択し、選択された最大強度に基づいて、電波環境を表示部に表示させる。電波環境表示方法は、エリア内の地点において、複数の無線送信機のそれぞれから送信される電波の受信電力の大きさである強度のうち、最大強度を選択するステップと、選択された最大強度に基づいて、電波環境を表示するステップと、を含む。
2019004243.tif 000002
【特許請求の範囲】
【請求項１】
互いに異なる位置に位置する複数の無線送信機から電波が送信されるエリア内の電波環境を表示する電波環境表示装置であって、
前記電波環境を表示する表示部と、
前記エリア内の地点において、前記複数の無線送信機のそれぞれから送信される電波の受信電力の大きさである強度のうち、最大強度を選択し、選択された前記最大強度に基づいて、前記電波環境を前記表示部に表示させる制御手段と、
を備える、
電波環境表示装置。
【請求項２】
前記電波環境は前記エリアを示す図上に表示される、
請求項１に記載の電波環境表示装置。
【請求項３】
前記制御手段は、前記最大強度を前記エリア内の地点に対応付けて、前記電波環境として前記表示部に表示させる、
請求項１又は２に記載の電波環境表示装置。
【請求項４】
前記制御手段は、前記エリア内の地点において、前記複数の無線送信機のそれぞれから送信される電波の受信電力の大きさである強度のうちの強い方から２番目の強度を選択し、前記最大強度と前記２番目の強度との差が第１の閾値以下である地点を除いて、前記最大強度を前記表示部に表示させる、
請求項３に記載の電波環境表示装置。
【請求項５】
前記制御手段は、前記エリア内の地点において、前記複数の無線送信機のそれぞれから送信される電波の受信電力の大きさである強度のうちの強い方から２番目の強度を選択し、前記最大強度と前記２番目の強度との差が第２の閾値以上である地点について、前記最大強度を前記表示部に表示させる、
請求項３に記載の電波環境表示装置。
【請求項６】
前記制御手段は、前記エリア内の地点において、前記複数の無線送信機のそれぞれから送信される電波の受信電力の大きさである強度のうちの強い方から２番目の強度を選択し、前記最大強度と前記２番目の強度との差が第３の閾値以下である地点を前記電波環境として前記表示部に表示させる、
請求項１又は２に記載の電波環境表示装置。
【請求項７】
前記制御手段は、前記最大強度を示す電波の到来方向を前記表示部に表示させる、
請求項１〜５のいずれか１項に記載の電波環境表示装置。
【請求項８】
前記制御手段は、前記到来方向を、当該地点を囲む所定の６面に対応する６個の方向から選択する、
請求項７に記載の電波環境表示装置。
【請求項９】
前記制御手段は、前記複数の無線送信機のうちの少なくとも１つの無線送信機の位置の変化の前後における、前記最大強度に基づく前記電波環境を連続して前記表示部に表示させる、
請求項１〜８のいずれか１項に記載の電波環境表示装置。
【請求項１０】
前記制御手段は、前記エリア内での物体の移動の前後における、前記最大強度に基づく前記電波環境を連続して前記表示部に表示させる、
請求項１〜８のいずれか１項に記載の電波環境表示装置。
【請求項１１】
前記制御手段は、前記複数の無線送信機とは異なる別の無線送信機が設置される場合に、前記別の無線送信機が設置される前の前記電波環境と、前記複数の無線送信機のそれぞれ及び前記別の無線送信機から送信される電波の受信電力の大きさである強度のうちの最大強度に基づく電波環境と、を連続して前記表示部に表示させる、
請求項１〜８のいずれか１項に記載の電波環境表示装置。
【請求項１２】
互いに異なる位置に位置する複数の無線送信機から電波が送信されるエリア内の電波環境を表示する電波環境表示装置により実行される電波環境表示方法であって、
前記エリア内の地点において、前記複数の無線送信機のそれぞれから送信される電波の受信電力の大きさである強度のうち、最大強度を選択するステップと、
選択された前記最大強度に基づいて、前記電波環境を表示するステップと、を含む、
電波環境表示方法。
【発明の詳細な説明】
【技術分野】
【０００１】
本発明は、電波環境表示装置及び電波環境表示方法に関する。
【背景技術】
【０００２】
特許文献１は、推定対象のエリアを微小区間に区切って、各微小区間において、複数の基地局からの受信品質を把握する方法を開示している。
【先行技術文献】
【特許文献】
【０００３】
【特許文献１】特開２００６−３５２３８５号公報
【非特許文献】
【０００４】
【非特許文献１】今井哲朗，「レイトレーシング法による移動伝搬シミュレーション」，電子情報通信学会論文誌Ｂ，Ｖｏｌ．Ｊ９２−Ｂ，Ｎｏ．９，ｐｐ。１３３３−１３４７，２００９年９月
【発明の概要】
【０００５】
本開示は、複数の無線送信機が異なる電波を送信している場合でも適切に電波環境を表示する電波環境表示装置及び方法を提供する。
【０００６】
本開示の一態様にかかる電波環境表示装置は、電波環境を表示する表示部と制御手段とを有し、互いに異なる位置に位置する複数の無線送信機から電波が送信されるエリア内の電波環境を表示する。制御手段は、エリア内の地点において、複数の無線送信機のそれぞれから送信される電波の受信電力の大きさである強度のうち、最大強度を選択し、選択された最大強度に基づいて、電波環境を表示部に表示させる。
【０００７】
上記電波環境表示装置により実行される電波環境表示方法は、エリア内の地点において、複数の無線送信機のそれぞれから送信される電波の受信電力の大きさである強度のうち、最大強度を選択するステップと、選択された最大強度に基づいて、電波環境を表示するステップと、を含む。
【０００８】
本開示における電波環境表示装置及び方法によれば、複数の無線送信機が異なる電波を送信している場合でも適切に電波環境を表示することができる。
【図面の簡単な説明】
【０００９】
【図１】実施の形態にかかる電波環境表示装置１００のハードウェア構成例を示すブロック図である。
【図２】変形例にかかる電波環境表示装置１００Ａ及びその周辺装置のハードウェア構成例を示すブロック図である。
【図３】図１の電波環境表示装置１００によりシミュレーションを行ったモデルエリアの構成例を示す斜視図である。
【図４】図１の電波環境表示装置１００によりシミュレーションを行ったモデルエリアにおける受信電力分布の表示例を示す斜視図である。
【図５】図１の電波環境表示装置１００によりシミュレーションを行ったモデルエリアにおけるカバーエリアの表示例を示す斜視図である。
【図６】図１の電波環境表示装置１００により実行される電波伝搬シミュレーション計算表示処理を示すフローチャートである。
【図７】図１の電波環境表示装置１００により実行されるアクセスポイント移動解析処理を示すフローチャートである。
【図８】図１の電波環境表示装置１００により実行される人の移動解析処理を示すフローチャートである。
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、添付図面及び以下の説明は、当業者が本開示を十分に理解するために、提供されるものであって、これらにより請求の範囲に記載の主題を限定することは意図されていない。
【００１２】
（実施の形態１）
図１は実施の形態にかかる電波環境表示装置１００のハードウェア構成例を示すブロック図である。
【００１３】
図１において、電波環境表示装置１００は、図６の電波伝搬シミュレーション計算表示処理、図７のアクセスポイント移動解析処理、及び図８の人の移動解析処理を実行することで、エリアモデルに関する計算基礎データ７１に基づいて電波環境をシミュレーションして受信電力分布図等を表示する。電波環境表示装置１００は、ＣＰＵ１と、それぞれがＣＰＵ１に接続されたＲＯＭ２、ＲＡＭ３、キーボード４、マウス５、ディスプレイ６、及びＨＤＤ（ハードディスクドライブ）７を備える。
【００１４】
ＣＰＵ１は、装置全体の制御を行う制御手段を構成する。ＲＯＭ２には、ＯＳ（オペレーティングシステム）のプログラムが格納されている。このＯＳのプログラムは、電波環境表示装置１００の起動に伴い実行される。ＲＡＭ３は、図６の電波伝搬シミュレーション計算表示処理、図７のアクセスポイント移動解析処理、及び図８の人の移動解析処理の実行時に作業領域として利用される。操作手段としてのキーボード４及びマウス５は、ヒューマンインタフェースとして機能し、上記各種処理における各種の設定に用いられる。また、ディスプレイ６は、ヒューマンインタフェースとして機能するとともに、各種設定の内容や装置の動作状態、各種の計算結果及び解析結果の表示データ７３を表示する。ディスプレイ６は、表示部の一例である。
【００１５】
ＨＤＤ７には、図６の電波伝搬シミュレーション計算表示処理、図７のアクセスポイント移動解析処理、及び図８の人の移動解析処理のプログラム７０と、電波伝搬シミュレーション計算表示処理において計算するときに必要な計算基礎データ７１と、その計算結果データ７２と、その計算結果データ７２に基づいて作成される表示データ７３とが格納される。計算基礎データ７１には、エリア内の地図やエリア内に設置されている物体やエリア内の物体の材質や送信機の位置などの情報が含まれる。
【００１６】
電波伝搬シミュレーション計算表示処理のプログラムは、ＨＤＤ７からＲＡＭ３に読み出されて実行される。また、当該プログラムは、ＨＤＤ７以外の記録媒体（例えばＣＤ―ＲＯＭ）に記録され、対応する読取装置（ＣＤ−ＲＯＭドライブ装置）によりＲＡＭ３に読み出す構成を採用してもよい。
【００１７】
図３は図１の電波環境表示装置１００によりシミュレーションを行ったモデルエリアの構成例を示す斜視図である。図３のモデルエリアの構成例では、例えば矩形形状を有し、底面が平面である部屋２００において、電波障害物である２個の机２０１，２０２と、１２個の椅子２０３とが配置されている。電波伝搬シミュレーション計算表示処理において用いる計算基礎データは、
（１）アクセスポイントＡＰ１、ＡＰ２の各無線送信機の送信電力（ｄＢｍ）、周波数、変調方式等、アンテナの利得及び高さ等のデータと、
（２）仮定する無線受信機のアンテナの利得及び高さ等のデータと、
（３）モデルエリアである部屋２００の３次元のサイズに関するデータと、
（４）電波障害物の３次元のサイズ及び位置（部屋２００内の２次元座標）に関するデータと、
を含む。
【００１８】
図４は図１の電波環境表示装置１００によりシミュレーションを行ったモデルエリアにおける受信電力分布（図６のＳ１２）の表示例を示す斜視図であり、図５は図１の電波環境表示装置１００によりシミュレーションを行ったモデルエリアにおけるカバーエリア（図６のＳ２２）の表示例を示す斜視図である。図４及び図５においては、オンライン出願の制約のために、白黒でハッチングの精細等により電波の受信電力等を表示しているが、実際に実施する場合は例えばカラー表示が行われる。
【００１９】
例えば特許文献１などの従来技術に係る電波環境の表示においては、２個以上の無線送信機からの受信電力を加算して表示していた。各無線送信機から異なる電波が送信されているときは、実際には電波干渉が発生しており、その加算した受信電力の表示自体が技術的に無意味である。これに対して、図５の電波環境の表示においては、詳細後述するように、例えば２個の電波の受信電力を比較して強い方の受信電力を有する電波の受信電力を表示することを特徴としており、きわめて実用的であるといえる。その他の実施の形態にかかる特徴については詳細後述する。
【００２０】
図６は図１の電波環境表示装置１００により実行される電波伝搬シミュレーション計算表示処理を示すフローチャートである。なお、本実施の形態において、モデルエリア内の各地点（例えば１００×１００等に分割した複数の地点）の受信電力については、上記の計算基礎データ７１に基づいて、例えば公知のレイトレーシング法（例えば非特許文献１参照）又は公知の統計的推定法を用いて計算することができる。
【００２１】
図６のステップＳ１において、計算基礎データ７１に基づいてアクセスポイントＡＰ１の無線送信機からの電波による各地点での受信電力および到来方向を計算し、ステップＳ２において当該受信電力の計算結果および到来方向を計算結果データ７２としてＨＤＤ７に格納してステップＳ１０に進む。また、ステップＳ３において、計算基礎データ７１に基づいてアクセスポイントＡＰ２の無線送信機からの電波による各地点での受信電力および到来方向を計算し、ステップＳ４において当該受信電力の計算結果および到来方向を計算結果データ７２としてＨＤＤ７に格納してステップＳ１０に進む。
【００２２】
ステップＳ１０においては、以下のいずれの表示を行うかを選択する選択表示画面を表示し、ユーザは該当するメニュー番号Ｍ１〜Ｍ６の数字を、キーボード４を用いて入力することで、ステップＳ１１、又はステップＳ２１に分岐する。なお、ステップＳ２１に進むときは、メニュー番号を記憶しておき最終的に対応するステップＳ２２、Ｓ２５、Ｓ２６、Ｓ３２、Ｓ４２のいずれかに進む。
（Ｍ１）２個のアクセスポイントＡＰ１，ＡＰ２の各無線送信機からの電波の受信電力を合計して受信電力分布図を表示する。
（Ｍ２）２個のアクセスポイントＡＰ１，ＡＰ２の各無線送信機からの電波のうち強い方の受信電力（最大強度）を選択し、選択された強い方の受信電力をエリア内の地点と対応付けて、カバーエリア図として表示する。
（Ｍ３）２個のアクセスポイントＡＰ１，ＡＰ２の各無線送信機からの電波のうち強い方の受信電力を選択し、かつ２つの電波の受信電力の差を求めて当該差が所定の閾値以下である、干渉が比較的大きな地点において、受信電力の表示を除いて、干渉エリアを除くカバーエリア図として表示する。
（Ｍ４）２個のアクセスポイントＡＰ１，ＡＰ２の各無線送信機からの電波のうち強い方の受信電力を選択し、かつ２つの電波の受信電力の差を求めて当該差が所定の閾値以下である、干渉が比較的大きな地点を干渉エリア図として表示する。
（Ｍ５）２個のアクセスポイントＡＰ１，ＡＰ２の各無線送信機からの電波のうち強い方の受信電力を選択し、各地点において、選択された強い方の受信電力の全方位で一番強い到来方向を示す到来方向図を表示する。
（Ｍ６）２個のアクセスポイントＡＰ１，ＡＰ２の各無線送信機からの電波のうち強い方の受信電力を選択し、各地点において、選択された強い方の受信電力の前後左右上下の六面で一番強い面方向の到来方向を示す到来方向図を表示する。
【００２３】
ステップＳ１０でメニュー番号Ｍ１を選択したときは、ステップＳ１１において、２個のアクセスポイントＡＰ１，ＡＰ２の各無線送信機からの電波の受信電力を合計して（Ｓ１１）受信電力分布図を表示し（Ｓ１２）、ステップＳ１０に戻る。
【００２４】
ステップＳ１０でメニュー番号Ｍ２を選択したときは、ステップＳ２１において、２個のアクセスポイントＡＰ１，ＡＰ２の各無線送信機からの電波のうち強い方の受信電力を選択し、カバーエリア図として表示し（Ｓ２２）ステップＳ１０に戻る。当該カバーエリア図を表示することで、合計して表示する受信電力分布図に比較して実用的である。なぜならば、実際は干渉が発生し、合計の受信電力とならない場合があるからである。
【００２５】
ステップＳ１０でメニュー番号Ｍ３を選択したときは、ステップＳ２１において、２個のアクセスポイントＡＰ１，ＡＰ２の各無線送信機からの電波のうち強い方の受信電力を選択し、かつ２つの電波の受信電力の差を求めて当該差が所定の閾値以下である、干渉が比較的大きな地点を抽出する（Ｓ２３）。次いでステップＳ２３で抽出された地点の受信電力の表示を除いて（Ｓ２４）、干渉エリアを除くカバーエリア図として表示し（Ｓ２５）、ステップＳ１０に戻る。このように、干渉エリアを除くカバーエリア図を表示することで、２つの電波が干渉することを再現することができ、単に受信電力が大きい方の受信電力を表示するよりも実用的である。
【００２６】
ステップＳ１０でメニュー番号Ｍ４を選択したときは、ステップＳ２１において、２個のアクセスポイントＡＰ１，ＡＰ２の各無線送信機からの電波のうち強い方の受信電力を選択し、かつ２つの電波の受信電力の差を求めて当該差が所定の閾値以下である、干渉が比較的大きな地点を抽出し（Ｓ２３）、干渉エリア図として表示し（Ｓ２６）、ステップＳ１０に戻る。このように、干渉エリア図を表示することで、２つの電波が干渉することを再現し、単に干渉するエリアを表示できる。
【００２７】
ステップＳ１０でメニュー番号Ｍ５を選択したときは、ステップＳ２１において、２個のアクセスポイントＡＰ１，ＡＰ２の各無線送信機からの電波のうち強い方の受信電力を選択し、各地点において、全方位で一番強い到来方向を抽出し（Ｓ３１）、到来方向図を表示し（Ｓ３２）、ステップＳ１０に戻る。
【００２８】
ステップＳ１０でメニュー番号Ｍ６を選択したときは、ステップＳ２１において、２個のアクセスポイントＡＰ１，ＡＰ２の各無線送信機からの電波のうち強い方の受信電力を選択し、各地点において、前後左右上下の六面で一番強い面方向の到来方向を抽出し（Ｓ４１）、到来方向図を表示し（Ｓ４２）、ステップＳ１０に戻る。
【００２９】
以上説明したように、図６の電波伝搬シミュレーション計算表示処理を実行することで、図６のステップＳ２１、Ｓ２２、Ｓ２５、Ｓ２６、Ｓ３２、Ｓ４２に示す６種類の表示について、シミュレーション計算を行って表示を行うことができる。
【００３０】
次いで、図１の電波環境表示装置１００を用いて、図７及び図８の処理を参照して、
（１）アクセスポイントをどのように移動させれば電波環境が良くなるか、
（２）新しいアクセスポイントをどこに設置すれば電波環境が良くなるか、もしくは、
（３）障害物である人などの物体が移動したときに電波環境がどのように変化するか、
について表示するための実施の形態について以下に説明する。
【００３１】
図７は、図１の電波環境表示装置１００により実行されるアクセスポイント移動解析処理を示すフローチャートである。図７においては、アクセスポイントの無線送信機を移動させたときの解析結果を表示することを特徴としている。
【００３２】
まず、ユーザは、アクセスポイントを既存の位置からどの位置まで移動させたいかを入力する。ここで入力された地点を終着点とする。
【００３３】
図７のステップＳ６１において、初期状態の受信電力の計算を行って、その計算結果を表示し（Ｓ６２）、アクセスポイントがユーザにより入力された終着点にいるか否か判断される（Ｓ６３）。ステップＳ６３においてＮＯのときはステップＳ６４に進む一方、ステップＳ６３においてＹＥＳのときはステップＳ６７に進む。なお、ステップＳ６２において、計算結果を表示しているが、本開示はこれに限らず、当該ステップのタイミングで表示しなくてもよい。
【００３４】
ステップＳ６４では、終着点であるアクセスポイントの位置に無線送信機を移動させ、移動後の受信電力の計算を行い（Ｓ６５）、初期状態及び移動後の受信電力の計算結果について連続的に表示し（Ｓ６６）、ステップＳ６３に戻る。なお、ステップＳ６６において、計算結果を表示しているが、本開示はこれに限らず、当該ステップのタイミングで表示しなくてもよい。
【００３５】
ステップＳ６７では、初期状態及び移動後の受信電力の計算結果について連続的に表示し、当該処理を終了する。なお、ステップＳ６６でリアルタイムで計算結果を表示できた場合は、ステップＳ６７で表示する必要はない。
【００３６】
以上説明したように、例えばアクセスポイントＡＰ１の無線送信機を固定する一方、アクセスポイントＡＰ２の無線送信機を移動するように、図７のアクセスポイント移動解析全体処理を実行することで、アクセスポイントをどのように移動させれば、電波環境が良くなるかについて可視化できる。
【００３７】
また、例えば２個のアクセスポイントＡＰ１、ＡＰ２の無線送信機を固定する一方、別のアクセスポイントＡＰ３の無線送信機を移動するように、図７のアクセスポイント移動解析全体処理を実行することで、新たにアクセスポイントをどこに設置すればよいかについて可視化できる。
【００３８】
図８は、図１の電波環境表示装置１００により実行される人の移動解析処理を示すフローチャートである。図８においては、移動する物体として人を仮定するが、人以外の種々の電波障害物（乗り物など）であってもよい。まず、ユーザは、移動する人をどの位置からどの位置まで移動させたいかを入力する。ここで入力された地点を出発点および終着点とする。
【００３９】
図８のステップＳ８１において、人が出発点にいる場合の受信電力の計算を行って、その計算結果を表示し（Ｓ８２）、人が終着点にいるか否か判断される（Ｓ８３）。ステップＳ８３においてＮＯのときはステップＳ８４に進む一方、ステップＳ８３においてＹＥＳのときはステップＳ８７に進む。なお、ステップＳ８２において、計算結果を表示しているが、本開示はこれに限らず、当該ステップのタイミングで表示しなくてもよい。
【００４０】
ステップＳ８４では、人の位置を移動させ、移動後の受信電力の計算を行い（Ｓ８５）、初期状態及び移動後の受信電力の計算結果について連続的に表示し（Ｓ８６）、ステップＳ８３に戻る。なお、ステップＳ８６において、計算結果を表示しているが、本開示はこれに限らず、当該ステップのタイミングで表示しなくてもよい。
【００４１】
ステップＳ８７では、初期状態及び移動後の受信電力の計算結果について連続的に表示し、当該処理を終了する。なお、ステップＳ８６でリアルタイムで計算結果を表示できた場合は、ステップＳ８７で表示する必要はない。
【００４２】
以上説明したように、例えば人がエリア内で移動したときの受信電力分布についてどのように電波環境が変化するかについて可視化することができる。
【００４３】
（変形例）
図２は変形例にかかる電波環境表示装置１００Ａ及びその周辺装置のハードウェア構成例を示すブロック図である。実施の形態においては、図６の電波伝搬シミュレーション計算表示処理のステップＳ１〜Ｓ４において、アクセスポイントＡＰ１，ＡＰ２の各無線送信機からの電波に基づいてシミュレーションで、受信電力分布等を計算している。図２の変形例では、３個の無線送信機Ｔ１〜Ｔ３及び無線受信機Ｒ１と、それらを制御する電波環境表示装置１００Ａとを備え、実際の実験により無線送信機Ｔ１〜Ｔ３からの電波を無線受信機Ｒ１により受信して、図６のステップＳ１０〜Ｓ４２の処理を実行してもよい。また、図７のアクセスポイント移動解析処理及び図８の人の移動解析処理についても同様に実行してもよい。
【００４４】
なお、図２の変形例では、３個の無線送信機Ｔ１〜Ｔ３を用いているが、本開示はこれに限らず、互いに異なる位置に設けられ，互いに異なる電波をそれぞれ送信する少なくとも２個の無線送信機であって４個以上の無線送信機を備えてもよい。すなわち、互いに異なる位置に位置し電波をそれぞれ送信する複数の無線送信機から電波が送信されるエリア内の電波環境を表示する電波環境表示装置において、エリア内の地点において、複数の無線送信機からの電波の受信電力の大きさである複数の強度のうち、１番大きい強度（最大強度）を選択して表示してもよい。
【００４５】
（他の変形例）
以上の実施の形態及び変形例において、２つのアクセスポイントの各無線送信機の電波の送信をそれぞれオン又はオフしたときのエリア内の受信電力分布を計算して表示させてもよい。
【００４６】
さらに、エリア内の各地点を区分するメッシュは互いに同一のサイズで均一でなくてもいい。すなわち、エリア内の各地点を区分するメッシュのサイズを互いに異なるように設定してもよい。例えば、アクセスポイントの無線送信機の近傍では、十分に大きな電波強度があるのでメッシュのサイズを所定値よりも大きくする一方、アクセスポイントの無線送信機から遠隔の地点では、電波強度が上記無線送信機近傍の地点に比較して小さくなるのでメッシュのサイズを所定値よりも小さくするように設定してもよい。
【００４７】
また、エリア内の各地点を区分するメッシュ毎に受信電力を計算しているが、これに限らず、複数のメッシュの受信電力をまとめて例えば受信電力の平均値を計算して表示してもよい。
【００４８】
さらに、受信電力分布を例えばカラー表示しているが、受信電力の時間変動の大きさを棒グラフで表示してもよい。また、移動通信システムでは、マルチパス環境のために反射波を考慮する必要があり、受信電力分布とともに、「遅延スプレッド」を計算して表示してもよい。
【００４９】
さらに、受信電力を計算しているときにリアルタイム表示をしてもよい。特に、現場で測定する際に、周囲に物体が動いたときのレベル変動をリアルタイムで見ることができるという利点がある。また、最大電力の面と偏波を抽出することにより到来方向がリアルタイムに表示できる。さらに、複数の無線受信機を置いて受信電力を計算して表示することで、各地点での電波の流れを可視化できる。
【００５０】
以上の実施の形態及び変形例においては、受信電力（ｄＢｍ）について計算しているが、これに限らず、電波の受信電界強度（Ｖ／ｍ）で表示してもよい。
【００５１】
以上の実施の形態及び変形例において、互いに異なる位置に位置する複数の無線送信機から電波が送信されるエリア内の電波環境を表示する電波環境表示装置は、エリア内の地点において、複数の無線送信機のそれぞれから送信される電波の受信電力の大きさである強度のうち、最大強度を選択し、選択された最大強度に基づいて、電波環境を表示部に表示する。この場合、最大強度はエリア内の地点に対応付けられることにより電波環境として表示される。
【００５２】
ここで、エリア内の地点のうち、複数の無線送信機のそれぞれから送信される電波の受信電力の大きさである強度のうちの強い方から２つの強度の差が第１の閾値以下である地点を除いて、最大強度を表示してもよい。
【００５３】
また、エリア内の地点のうち、複数の無線送信機のそれぞれから送信される電波の受信電力の大きさである強度のうちの強い方の２つの強度の差が第２の閾値以上である地点について、最大強度を表示してもよい。
【００５４】
また、エリア内の地点のうち、複数の無線送信機のそれぞれから送信される電波の受信電力の大きさである強度のうちの強い方の２つの強度の差が第３の閾値以下である地点を選択して表示してもよい。
【００５５】
さらに、エリア内の地点について、各無線送信機から送信される電波の受信電力の大きさである強度のうちの最大である電波の到来方向を表示する。ここで、受信電力が最大である電波の到来方向を、当該地点を囲む所定の６面に対応する６個の方向から選択されて表示する。
【００５６】
また、複数の無線送信機のうちの少なくとも１つの無線送信機の位置の変化の前後における電波環境を連続して表示する。
【００５７】
さらに、エリア内での物体の移動の前後における電波環境を連続して表示する。もしくは、複数の無線送信機の位置とは異なる位置に別の無線送信機が設置されたときの電波環境を、当該別の無線送信機が設置される前後を含むように連続して表示する。
【産業上の利用可能性】
【００５８】
本開示は、複数の無線送信機が異なる電波を送信している場合でも適切に電波環境を表示することができ、電波環境を把握するうえで特に産業上有益である。
【符号の説明】
【００５９】
１  ＣＰＵ
２  ＲＯＭ
３  ＲＡＭ
４  キーボード
５  マウス
６  ディスプレイ
７  ハードディスクドライブ（ＨＤＤ）
７０  プログラム
７１  計算基礎データ
７２  計算結果データ
７３  表示データ
１００，１００Ａ  電波環境表示装置
ＡＰ１，ＡＰ２，ＡＰ３  アクセスポイント
Ｒ１  無線受信機
Ｔ１〜Ｔ３  無線送信機
【図１】
2019004243.tif 000003
【図２】
2019004243.tif 000004
【図３】
2019004243.tif 000005
【図４】
2019004243.tif 000006
【図５】
2019004243.tif 000007
【図６】
2019004243.tif 000008
【図７】
2019004243.tif 000009
【図８】
2019004243.tif 000010
【国際調査報告】
2019004243.tif 000011
2019004243.tif 000012
2019004243.tif 000013